(57)【要約】【課題】被検査対象２の作動音に含まれる異音の有無の判定を精度良く行うことができ、また異音の発生部位も正確に判定することができる異音検査装置を提供すること。【解決手段】被検査対象２の作動音に含まれる異音を検査するための異音検査装置であって、外部からの音の進入を抑制する防音構造を備え、内部に被検査対象２が設置される防音箱１と、防音箱１内に配設されたマイク１０と、マイク１０で取り込んだ被検査対象２の作動音に含まれる、防音箱１で遮断しきれない外部からの音の成分を除去するＢＰＦ１３と、ＢＰＦ１３により外部からの音の成分が除去された被検査対象２の作動音の時間軸波形を２乗平均し、２乗平均後の波形の形態に基づいて、被検査対象２の作動音に含まれる異音の有無、及び／又は異音の発生部位を判定する異音判定処理手段１４とを装備する。【選択図】図１
2007114052.tif 000002
【特許請求の範囲】
【請求項１】
被検査対象の作動音に含まれる異音を検査するための異音検査装置であって、
外部からの音の進入を抑制する防音構造を備え、内部に前記被検査対象が設置される防音箱と、
該防音箱内に配設された集音手段と、
該集音手段で取り込んだ前記被検査対象の作動音に含まれる、前記防音箱で遮断しきれない外部からの音の成分を除去する外部音成分除去手段と、                            該外部音成分除去手段により外部からの音の成分が除去された前記被検査対象の作動音の時間軸波形を２乗平均し、該２乗平均後の波形の形態に基づいて、前記被検査対象の作動音に含まれる異音の有無、及び／又は該異音の発生部位を判定する異音判定処理手段とを備えていることを特徴とする異音検査装置。
【請求項２】
前記異音判定処理手段が、                              
前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するパラメータ算出手段を備え、
該パラメータ算出手段により算出された前記所定のパラメータの値に基づいて、前記被検査対象の作動音に異音が含まれているか否かを判定する処理を行うものであることを特徴とする請求項１記載の異音検査装置。
【請求項３】
前記異音判定処理手段が、
前記２乗平均後の波形の面積を求める波形面積算出手段を備え、
該波形面積算出手段により求められた２乗平均後の波形の面積をさらに加味して、前記被検査対象の作動音に異音が含まれているか否かを判定する処理を行うものであることを特徴とする請求項２記載の異音検査装置。
【請求項４】
前記異音判定処理手段が、
前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するパラメータ算出手段と、
該パラメータ算出手段により算出された前記所定のパラメータの値に基づいて、前記２乗平均後の波形に対応する波形パターンを判定する波形パタ−ン判定手段とを備え、
該波形パターン判定手段により判定された波形パターンに設定された異音判定のための閾値と、当該２乗平均後の波形の形態とを比較して、所定の条件を満たすか否かにより、前記被検査対象の作動音に含まれている異音の有無を判定する処理を行うものであることを特徴とする請求項１記載の異音検査装置。
【請求項５】
前記異音判定処理手段が、
前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するパラメータ算出手段と、            該パラメータ算出手段により算出された前記所定のパラメータの値に基づいて、前記２乗平均後の波形に対応する波形パターンを判定する波形パタ−ン判定手段と、            前記２乗平均後の波形に対して、前記波形パタ−ン判定手段により判定された波形パターンに応じたフィルタ処理を行うフィルタ処理手段とを備え、
該フィルタ処理手段によるフィルタ処理後の波形の形態に基づいて、前記被検査対象の作動音に含まれる異音の有無を判定する処理を行うものであることを特徴とする請求項１記載の異音検査装置。
【請求項６】
前記異音判定処理手段が、
前記フィルタ処理後の波形を、レベルが低い方の第３の波形と、該第３の波形から突出している第４の波形とに分け、これら第３及び第４の波形の形態から前記フィルタ処理後の波形の特徴を数値化するための所定のパラメータを算出する第２のパラメータ算出手段を備え、
該第２のパラメータ算出手段により算出された前記所定のパラメータの値に基づいて、前記被検査対象の作動音に含まれる異音の有無を判定する処理を行うものであることを特徴とする請求項５記載の異音検査装置。
【請求項７】
集音手段を介して取り込んだ被検査対象の作動音に含まれる異音を判定する異音判定処理方法であって、
演算処理手段が、前記被検査対象の作動音の時間軸波形を２乗平均するステップと、
該２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するステップと、
該算出された前記所定のパラメータの値に基づいて、前記被検査対象の作動音に異音が含まれているか否かを判定するステップとを実行することを特徴とする異音判定処理方法。
【請求項８】
前記所定のパラメータの値に基づいて、前記被検査対象の作動音に異音が含まれているか否かを判定するステップの代わりに、
前記２乗平均後の波形の面積を求めるステップと、
前記算出された前記所定のパラメータの値と、前記算出された２乗平均後の波形の面積とに基づいて、前記被検査対象の作動音に異音が含まれているか否かを判定するステップとを実行することを特徴とする請求項７記載の異音判定処理方法。
【請求項９】
集音手段を介して取り込んだ被検査対象の作動音の異音を判定する異音判定処理方法であって、
演算処理手段が、前記被検査対象の作動音の時間軸波形を２乗平均するステップと、
該２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するステップと、
該算出された前記所定のパラメータの値に基づいて、当該２乗平均後の波形に対応する波形パターンを判定するステップと、
該判定された波形パターンに設定された異音判定の閾値と、前記２乗平均後の波形の形態とを比較して、所定の条件を満たすか否かにより、前記被検査対象の作動音に含まれる異音の有無を判定するステップとを実行することを特徴とする異音判定処理方法。
【請求項１０】
集音手段を介して取り込んだ被検査対象の作動音の異音を判定する異音判定処理方法であって、
演算処理手段が、前記被検査対象の作動音の時間軸波形を２乗平均するステップと、
該２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するステップと、
該数値化された前記所定のパラメータの値に基づいて、当該２乗平均後の波形に対応する波形パターンを判定するステップと、                                              該判定された波形パターンに応じたフィルタ処理を行うステップと、
該フィルタ処理後の波形の形態に基づいて、前記被検査対象の作動音に含まれる異音の有無を判定するステップとを実行することを特徴とする異音判定処理方法。
【請求項１１】
前記異音が有ると判定された場合、前記２乗平均後の波形に対応する波形パターンを判定するステップにより判定された波形パターンに基づいて異音の発生部位を判定するステップを実行することを特徴とする請求項９又は請求項１０記載の異音判定処理方法。
【発明の詳細な説明】
【技術分野】
【０００１】
本発明は異音検査装置、及び異音判定処理方法に関し、より詳細には被検査対象の作動音に含まれる異音を検査するための異音検査装置、及び異音判定処理方法に関する。
【背景技術】
【０００２】
従来、ＣＤデッキ等の機械的に作動する機構を備えた装置の組み立て工程における異音検査は、作業者がメカ機構を備えた部品（例えば、ＣＤ等を読み取るピックアップ部）等の作動音を実際に耳で聞き取り、異音がするか否かを判定する聴感検査により行われていた。しかし、このような聴感検査は、作業者のスキルの差等により判定結果にばらつきが生じやすく、また作業現場における他の騒音等の影響により作動音自体が聞き取り難い場合もあり、常に一定の条件下で異音を検査することが難しいという課題があった。
【０００３】
また、異音検査の別の方法として、騒音計を用いた検査やＦＦＴ（高速フーリエ変換）アナライザを用いた検査なども検討されている。騒音計を用いた検査は、音の大小で表れる異音の検出に適用することができるが、音の大きさで表れない異音を検出することができないため、作動音に含まれる異音を検出するには適していないという課題があった。また、下記の特許文献１には、エンジン音をマイクロフォンで集音してこれを電気信号に変換し、この信号レベルを基準値と比較して、基準値以上であればミスファイヤ信号を出力する異音検出装置が開示されているが、この異音検出装置は、エンジンの正常音とミスファイヤ時の異常音とを、単に音圧レベルで比較するため、異音の発生箇所等を特定することが困難であった。
【０００４】
また、ＦＦＴアナライザを用いた検査の場合、波形の時間軸の変化が平滑化されるため、時間的変化を伴う異音（例えば、断続的に発生する異音等）を精度よく検出することが難しいという問題があった。
【特許文献１】実開昭５７−１２６５３７号公報
【発明の開示】
【課題を解決するための手段及びその効果】
【０００５】
本発明は上記課題に鑑みなされたものであって、被検査対象の作動音に含まれる異音の有無の判定を精度良く行うことができ、また異音の発生部位も正確に判定することができる異音検査装置、及び異音判定処理方法を提供することを目的としている。
【０００６】
上記目的を達成するために本発明に係る異音検査装置（１）は、被検査対象の作動音に含まれる異音を検査するための異音検査装置であって、外部からの音の進入を抑制する防音構造を備え、内部に前記被検査対象が設置される防音箱と、該防音箱内に配設された集音手段と、該集音手段で取り込んだ前記被検査対象の作動音に含まれる、前記防音箱で遮断しきれない外部からの音の成分を除去する外部音成分除去手段と、該外部音成分除去手段により外部からの音の成分が除去された前記被検査対象の作動音の時間軸波形を２乗平均し、該２乗平均後の波形の形態に基づいて、前記被検査対象の作動音に含まれる異音の有無、及び／又は該異音の発生部位を判定する異音判定処理手段とを備えていることを特徴としている。
【０００７】
上記異音検査装置（１）によれば、前記防音箱と、該防音箱で遮断しきれない外部からの音の成分を除去する外部音成分除去手段との組み合わせにより、外部からの音を遮断するように構成されているので、外部からの音を遮断するための前記防音箱の防音構造を簡素にすることができ、装置にかかるコストを削減することができる。このような安価な防音箱の防音構造としては、アルミ板等からなる外側遮音材、グラスウール等からなる内部吸音層、及び多孔質アルミ板等からなる内側吸音材の３層構造からなる防音壁を採用することができる。また、前記被検査対象の作動音の時間軸波形を２乗平均することによって、該作動音に含まれる異音の特徴を強調した波形とすることができ、前記２乗平均後の波形の形態から、前記被検査対象の作動音に含まれる異音の有無、及び／又は異音の種別を判定することが可能となる。
【０００８】
また上記異音検査装置（１）において、前記防音箱の底面に、外部からの振動を吸収するための振動吸収部材を設ける構成としてもよく、係る構成によれば、前記振動吸収部材を介して外部から前記防音箱に伝わる振動を遮断することができ、該振動によるノイズを防止することができる。
【０００９】
また上記異音検査装置（１）において、前記防音箱内に、前記集音手段の位置を調整するための集音手段位置調整機構を設ける構成としてもよく、係る構成によれば、前記集音手段の位置を自在に調整することができ、前記被検査対象の種類に応じて前記集音手段を所望の位置に設定することができる。前記集音手段位置調整機構としては、例えば、前記防音箱内に、前記集音手段をＸＹＺ軸方向に自在に移動させることができる位置調整バーを配設し、該位置調整バーに沿って前記集音手段を移動させる構成等が挙げられる。
【００１０】
また上記異音検査装置（１）において、前記被検査対象を作動させていない状態で、前記防音箱内に設置されている設備機器の作動音を取り込み、前記設備機器が異音を発しているか否かを判定する設備機器異音判定処理手段と、該設備機器異音判定処理手段により前記設備機器が異音を発していると判定された場合、前記設備機器の異常を告知する告知手段とをさらに装備させてもよい。係る構成によれば、前記被検査対象を作動させていない状態で（すなわち、検査前に）、前記設備機器の作動音の状態を確認し、前記設備機器が異音を発している場合には、前記設備機器の異常が告知されるので、前記設備機器の異常をいち早く知らせることができるとともに、前記設備機器が異音を発している状態で、前記被検査対象の異音検査が行われるのを防止することができる。前記設備機器としては、例えば、前記被検査対象を設置する載置台をスライド移動させるための空圧機器（エアシリンダ）等が挙げられ、該空圧機器のエア漏れ等の異常を検出する構成が挙げられる。
【００１１】
また上記異音検査装置（１）において、前記防音箱に設けられた開閉扉を駆動させる開閉扉駆動手段と、該開閉扉駆動手段に対する前記開閉扉の閉動作、及び前記被検査対象に対する検査前の慣し動作を同時に制御する駆動制御手段とをさらに装備させてもよい。係る構成によれば、前記開閉扉駆動手段に対する前記開閉扉の閉動作、及び前記被検査対象に対する検査前の慣し動作（エイジング動作とも言う）が同時に制御されるので、検査を開始するまでのタクトタイムを短縮することができ、検査効率を高めることができる。
【００１２】
また上記異音検査装置（１）において、前記防音箱に、前記被検査対象を設置するための可動式の載置部と、該載置部に設置された前記被検査対象の位置を検出するための位置検出手段とを設け、前記位置検出手段から得られる情報に基づいて、前記集音手段と前記被検査対象とが所定の位置関係となるように前記載置部の位置を調整する位置調整手段が前記載置部に添設された構成としてもよい。係る構成によれば、前記位置検出手段から得られる情報に基づいて、前記集音手段と前記被検査対象とが所定の位置関係となるように前記載置部の位置が調整されるので、前記集音手段と前記被検査対象との位置関係が常に一定の状態で異音検査を行うことができ、異音の検査精度を高めることができる。
【００１３】
また上記異音検査装置（１）において、前記集音手段の位置を校正するための集音手段位置校正用具が、前記防音箱内に設置可能に構成され、前記集音手段位置校正用具に設置された基準音発生装置から発した基準音のレベルと、前記集音手段で取り込まれた基準音のレベルとを比較して、前記集音手段のゲイン調整を行うゲイン調整手段をさらに装備してもよい。係る構成によれば、前記防音箱内に設置される集音手段位置校正用具と、該集音手段位置校正用具の所定位置に設置される基準音発生装置とを用いて、実際の異音検査の状態に近い状態で適切な集音手段のゲイン調整と位置合わせとを同時に行うことができる。
【００１４】
また上記異音検査装置（１）において、前記被検査対象に付与されている識別情報を読み取り可能な読取手段から得られた識別情報を、前記被検査対象の作動音データの保存先に設定して、該被検査対象の作動音データを記憶部に記憶させる作動音データ記憶処理手段をさらに装備してもよく、係る構成によれば、前記読取手段から得られた識別情報（例えば、シリアルＮｏ等）を、前記被検査対象の作動音データの保存先、例えば保存名に設定して、該被検査対象の作動音データが記憶部に記憶されるので、前記被検査対象の識別情報が保存名に設定された作動音データを前記記憶部に蓄積していくことができ、前記保存名に設定された識別情報から所望の作動音データの識別を容易に行うことができる。また、前記記憶部に記憶されている前記被検査対象の作動音データを他の端末装置へ送信する通信手段をさらに設けることにより、前記記憶部に記憶されている前記被検査対象の作動音データを他の端末装置へ送信することができ、例えば、遠隔地にある他の端末装置で前記作動音データの解析を行うことが可能なシステムを構築することができる。
【００１５】
また本発明に係る異音検査装置（２）は、上記異音検査装置（１）において、前記異音判定処理手段が、前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するパラメータ算出手段を備え、該パラメータ算出手段により算出された前記所定のパラメータの値に基づいて、前記被検査対象の作動音に異音が含まれているか否かを判定する処理を行うものであることを特徴としている。
【００１６】
上記異音検査装置（２）によれば、前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータが算出されるので、該算出された所定のパラメータによって前記２乗平均後の波形の特徴を的確に数値化することができ、該パラメータに基づいて、前記被検査対象の作動音に異音が含まれているか否かを精度良く判定することができる。
前記所定のパラメータとしては、ａ）前記第１の波形のレベルの平均値、ｂ）前記第２の波形のレベルの平均値及び／又は突出回数、ｃ）前記第１の波形と前記第２の波形とのレベルの平均値の比、ｄ）前記第１の波形と前記第２の波形とのレベルの平均値の差、ｅ）前記第１及び第２の波形を含めたレベルの平均値が挙げられ、これらａ）〜ｅ）のいずれか１つ以上のパラメータを用いて判定を行う。なお、判定精度を高めるには、これらパラメータを組み合わせて判定を行う方が良い。
【００１７】
また本発明に係る異音検査装置（３）は、上記異音検査装置（２）において、前記異音判定処理手段が、前記２乗平均後の波形の面積を求める波形面積算出手段を備え、該波形面積算出手段により求められた２乗平均後の波形の面積をさらに加味して、前記被検査対象の作動音に異音が含まれているか否かを判定する処理を行うものであることを特徴としている。
【００１８】
上記異音検査装置（３）によれば、前記算出された２乗平均後の波形の面積、すなわち、音の大小をさらに考慮して、前記被検査対象の作動音に異音が含まれているか否かを判定することができ、異音有無の判定精度をさらに高めることができる。
【００１９】
また本発明に係る異音検査装置（４）は、上記異音検査装置（１）において、前記異音判定処理手段が、前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するパラメータ算出手段と、該パラメータ算出手段により算出された前記所定のパラメータの値に基づいて、前記２乗平均後の波形に対応する波形パターンを判定する波形パタ−ン判定手段とを備え、該波形パターン判定手段により判定された波形パターンに設定された異音判定のための閾値と、当該２乗平均後の波形の形態とを比較して、所定の条件を満たすか否かにより、前記被検査対象の作動音に含まれている異音の有無を判定する処理を行うものであることを特徴としている。
【００２０】
前記被検査対象の作動音に異音が含まれている場合、異音の発生部位によって、前記２乗平均後の波形の形態が異なるので、異音の発生部位別に波形パターンを予め分類して、該波形パターン別に異音判定の閾値を設定しておくことができる。
上記異音検査装置（４）によれば、前記２乗平均後の波形の特徴が数値化された前記所定のパラメータの値に基づいて、前記２乗平均後の波形に対応する波形パターンが判定され、該判定された波形パターンに設定された異音判定のための閾値と、当該２乗平均後の波形の形態とを比較して、所定の条件を満たすか否か（例えば、前記閾値を越えた波形面積が所定値以上となっているか否か）により、前記被検査対象の作動音に含まれている異音の有無を精度良く判定することが可能となる。なお、前記所定のパラメータには、上記異音検査装置（２）で説明したパラメータを使用することができる。
【００２１】
また本発明に係る異音検査装置（５）は、上記異音検査装置（１）において、前記異音判定処理手段が、前記２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するパラメータ算出手段と、該パラメータ算出手段により算出された前記所定のパラメータの値に基づいて、前記２乗平均後の波形に対応する波形パターンを判定する波形パタ−ン判定手段と、前記２乗平均後の波形に対して、前記波形パタ−ン判定手段により判定された波形パターンに応じたフィルタ処理を行うフィルタ処理手段とを備え、該フィルタ処理手段によるフィルタ処理後の波形の形態に基づいて、前記被検査対象の作動音に含まれる異音の有無を判定する処理を行うものであることを特徴としている。
【００２２】
前記被検査対象の作動音に異音が含まれている場合、異音の発生部位によって、前記２乗平均後の波形の形態が異なるので、異音の発生部位別に波形パターンを予め分類して、該波形パターン別に異音の特徴をさらに抽出するためのフィルタ条件（音の通過帯域等）を設定しておくことができる。
上記異音検査装置（５）によれば、算出された前記パラメータの値に基づいて、当該２乗平均後の波形に対応する波形パターンが判定され、前記２乗平均後の波形に対して、前記判定された波形パターンに応じたフィルタ処理が行われるので、異音の特徴をさらに抽出することができ、該フィルタ処理後の波形の形態に基づいて、前記被検査対象の作動音に含まれる異音の有無をより精度良く判定することができる。
【００２３】
また本発明に係る異音検査装置（６）は、上記異音検査装置（５）において、前記異音判定処理手段が、前記フィルタ処理後の波形を、レベルが低い方の第３の波形と、該第３の波形から突出している第４の波形とに分け、これら第３及び第４の波形の形態から前記フィルタ処理後の波形の特徴を数値化するための所定のパラメータを算出する第２のパラメータ算出手段を備え、該第２のパラメータ算出手段により算出された前記所定のパラメータの値に基づいて、前記被検査対象の作動音に含まれる異音の有無を判定する処理を行うものであることを特徴としている。
【００２４】
上記異音検査装置（６）によれば、前記フィルタ処理後の波形を、レベルが低い方の第３の波形と、該第３の波形から突出している第４の波形とに分け、これら第３及び第４の波形の形態から前記フィルタ処理後の波形の特徴を数値化するための所定のパラメータが算出され、該算出された所定のパラメータによって前記フィルタ処理後の波形の特徴を的確に数値化することができ、該パラメータに基づいて、前記被検査対象の作動音に異音が含まれているか否かをさらに精度良く判定することができる。
前記所定のパラメータとしては、ａ）前記第３の波形のレベルの平均値、ｂ）前記第４の波形のレベルの平均値及び／又は突出回数、ｃ）前記第３の波形と前記第４の波形とのレベルの平均値の比、ｄ）前記第３の波形と前記第４の波形とのレベルの平均値の差、ｅ）前記第３及び第４の波形を含めたレベルの平均値が挙げられ、これらａ）〜ｅ）のいずれか１つ以上のパラメータを用いて判定を行う。なお、判定精度を高めるには、これらパラメータを組み合わせて判定を行う方が良い。
【００２５】
また上記異音検査装置（５）において、前記異音判定処理手段が、前記波形パタ−ン判定手段により判定された波形パターンに設定された異音判定のための閾値と、前記フィルタ処理後の波形の形態とを比較して、所定の条件を満たすか否かにより、前記被検査対象の作動音に含まれている異音の有無を判定する処理を行うものであってもよく、係る構成によれば、前記判定された波形パターンに設定された異音判定のための閾値と、前記フィルタ処理後の波形の形態とを比較して、所定の条件を満たすか否か（例えば、前記閾値を越えた波形面積が所定値以上となっているか否か）により、前記被検査対象の作動音に含まれている異音の有無を精度良く判定することができる。
【００２６】
また上記異音検査装置（４）〜（６）のいずれかにおいて、前記異音が有ると判定された場合、前記異音判定処理手段が、前記波形パタ−ン判定手段により判定された波形パターンに基づいて、異音の発生部位を判定する処理を行うものとしてもよく、係る構成によれば、前記被検査対象の作動音に異音が有る場合には、前記判定された波形パタ−ンに基づいて異音の発生部位を判定することができる。またさらに、前記異音判定処理手段により判定処理された、前記被検査対象の作動音に含まれる異音の有無、及び異音が有る場合の該異音の発生部位の判定情報を記憶部に記憶する判定情報記憶処理手段と、前記記憶部に記憶された判定情報を前記異音の発生部位毎に分類して表示部に表示する表示処理手段とを装備してもよく、係る構成によれば、前記異音判定処理手段により判定処理された、前記被検査対象の作動音に含まれる異音の有無、及び異音が有る場合の該異音の発生部位の判定情報が記憶部に蓄積され、前記表示処理手段により、前記記憶部に記憶された判定情報を前記異音の発生部位毎に分類して表示部に表示させることができ、前記異音の発生頻度や該異音の発生部位の傾向等を検査者に把握させることができる。
【００２７】
また、上記異音検査装置（１）〜（６）のいずれかにおいて、前記異音判定処理手段により判定処理された前記被検査対象の作動音に含まれる異音の有無に関する情報を告知する告知手段をさらに装備してもよく、係る構成によれば、前記異音判定処理手段により判定処理された前記被検査対象の作動音に含まれる異音の有無に関する情報が告知されるので、前記被検査対象の作動音が正常か否かを適切に把握することができる。
【００２８】
また本発明に係る異音判定処理方法（１）は、集音手段を介して取り込んだ被検査対象の作動音に含まれる異音を判定する異音判定処理方法であって、演算処理手段が、前記被検査対象の作動音の時間軸波形を２乗平均するステップと、該２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するステップと、該算出された前記所定のパラメータの値に基づいて、前記被検査対象の作動音に異音が含まれているか否かを判定するステップとを実行することを特徴としている。
【００２９】
上記異音判定処理方法（１）によれば、算出された所定のパラメータによって前記２乗平均後の波形の特徴を的確に数値化することができ、該パラメータに基づいて、前記被検査対象の作動音に異音が含まれているか否かを精度良く判定することができる。
前記所定のパラメータとしては、ａ）前記第１の波形のレベルの平均値、ｂ）前記第２の波形のレベルの平均値及び／又は突出回数、ｃ）前記第１の波形と前記第２の波形とのレベルの平均値の比、ｄ）前記第１の波形と前記第２の波形とのレベルの平均値の差、ｅ）前記第１及び第２の波形を含めたレベルの平均値が挙げられ、これらａ）〜ｅ）のいずれか１つ以上のパラメータを用いて判定を行う。なお、判定精度を高めるには、これらパラメータを組み合わせて判定を行う方が良い。
【００３０】
また本発明に係る異音判定処理方法（２）は、上記異音判定処理方法（１）において、前記所定のパラメータの値に基づいて、前記被検査対象の作動音に異音が含まれているか否かを判定するステップの代わりに、前記２乗平均後の波形の面積を求めるステップと、前記算出された前記所定のパラメータの値と、前記算出された２乗平均後の波形の面積とに基づいて、前記被検査対象の作動音に異音が含まれているか否かを判定するステップとを実行することを特徴としている。
【００３１】
上記異音判定処理方法（２）によれば、前記算出された２乗平均後の波形の面積、すなわち、音の大小をさらに考慮して、前記被検査対象の作動音に異音が含まれているか否かを判定することができ、判定精度をさらに高めることができる。
【００３２】
また本発明に係る異音判定処理方法（３）は、集音手段を介して取り込んだ被検査対象の作動音の異音を判定する異音判定処理方法であって、演算処理手段が、前記被検査対象の作動音の時間軸波形を２乗平均するステップと、該２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するステップと、該算出された前記所定のパラメータの値に基づいて、当該２乗平均後の波形に対応する波形パターンを判定するステップと、該判定された波形パターンに設定された異音判定の閾値と、前記２乗平均後の波形の形態とを比較して、所定の条件を満たすか否かにより、前記被検査対象の作動音に含まれる異音の有無を判定するステップとを実行することを特徴としている。
【００３３】
前記被検査対象の作動音に異音が含まれている場合、異音の発生部位によって、前記２乗平均後の波形の形態が異なるので、異音の発生部位別に波形パターンを予め分類し、該波形パターン別に異音判定の閾値を設定しておくことができる。
上記異音判定処理方法（３）によれば、前記２乗平均後の波形の特徴が数値化された前記所定のパラメータの値に基づいて、前記２乗平均後の波形に対応する波形パターンが判定され、該判定された波形パターンに設定された異音判定のための閾値と、当該２乗平均後の波形の形態とを比較して、所定の条件を満たすか否か（例えば、前記閾値を越えた波形面積が所定値以上となっているか否か）により、前記被検査対象の作動音に含まれている異音の有無を判定することができる。なお、前記所定のパラメータには、上記異音判定処理方法（１）で説明したパラメータを使用することができる。
【００３４】
また本発明に係る異音判定処理方法（４）は、集音手段を介して取り込んだ被検査対象の作動音の異音を判定する異音判定処理方法であって、演算処理手段が、前記被検査対象の作動音の時間軸波形を２乗平均するステップと、該２乗平均後の波形を、レベルが低い方の第１の波形と、該第１の波形から突出している第２の波形とに分け、これら第１及び第２の波形の形態から前記２乗平均後の波形の特徴を数値化するための所定のパラメータを算出するステップと、該数値化された前記所定のパラメータの値に基づいて、当該２乗平均後の波形に対応する波形パターンを判定するステップと、該判定された波形パターンに応じたフィルタ処理を行うステップと、該フィルタ処理後の波形の形態に基づいて、前記被検査対象の作動音に含まれる異音の有無を判定するステップとを実行することを特徴としている。
【００３５】
前記被検査対象の作動音に異音が含まれている場合、異音の発生部位によって、前記２乗平均後の波形の形態が異なるので、異音の発生部位別に波形パターンを予め分類し、該波形パターン別に異音の特徴をさらに抽出するためのフィルタ（バンドパスフィルタ等）を設定しておくことができる。
上記異音判定処理方法（４）によれば、算出された前記パラメータの値に基づいて、当該２乗平均後の波形に対応する波形パターンが判定され、前記２乗平均後の波形に対して、前記判定された波形パターンに応じたフィルタ処理が行われるので、異音の特徴をさらに抽出することができ、該フィルタ処理後の波形の形態に基づいて、前記被検査対象の作動音に含まれる異音の有無をより精度良く判定することができる。
【００３６】
また本発明に係る異音判定処理方法（５）は、上記異音判定処理方法（３）又は（４）において、前記異音が有ると判定された場合、前記２乗平均後の波形に対応する波形パターンを判定するステップにより判定された波形パターンに基づいて異音の発生部位を判定するステップを実行することを特徴としている。
上記異音判定処理方法（５）によれば、前記被検査対象の作動音に異音が有る場合には、前記判定された波形パタ−ンに基づいて異音の発生部位を判定することができる。
【発明を実施するための最良の形態】
【００３７】
以下、本発明に係る異音検査装置、及び異音判定処理方法の実施の形態を図面に基づいて説明する。図１は、実施の形態（１）に係る異音検査装置の要部を概略的に示したブロック図である。
【００３８】
図中１は、外部からの音の進入を抑制する防音構造を備え、内部に被検査対象２が設置される防音箱を示している。防音箱１は、アルミ板からなる外側遮音材、グラスウールからなる内部吸音層、及び多孔質アルミ板からなる内側吸音材（いずれも図示せず）の３層構造を有する防音壁を用いて構成されており、例えば、外部騒音が７０ｄＢ時に内部暗騒音を３５ｄＢ以下まで遮音できる構造となっている。防音箱１の一側面は、上下方向にスライド可能な開閉扉３で構成されており、開閉扉３は、後述するＣＰＵ１５が出力する開閉信号に基づいて扉駆動部４を駆動させて開閉されるように構成されている。
【００３９】
防音箱１の内部底面には、空圧機器（エアシリンダ）が設置され、空圧機器５上には、空圧機器５を駆動させることにより開閉扉３の方向にスライド可能な載置台６が配設されており、載置台６上に被検査対象２が設置されるようになっている。空圧機器５は、シリンダと、ロッドを備えるピストンと（いずれも図示せず）を含んで構成され、ピストンは両側の空気室に供給される圧縮空気の圧力差によって、前記シリンダ内を左右方向に移動するように構成されている。また、空圧機器５には、管路８ａ、８ｂを介してエアポンプ７ａ、７ｂが接続されており、エアポンプ７ａ、７ｂによって、前記シリンダ内のピストンの両側に供給される圧縮空気の圧力が調整され、該圧力差により載置台６の位置が調整されるようになっている。なお、エアポンプ７ａ、７ｂは、後述するＣＰＵ１５が出力するエア供給信号に基づいて駆動され、異音検査中は、エアポンプ７ａ、７ｂから空圧機器５に常時エアが供給されるように構成されている。
【００４０】
また、防音箱１の内部側面には、被検査対象２の位置を検出するための位置センサ９が配設されており、位置センサ９で検出された信号がＣＰＵ１５に入力されるようになっている。位置センサ９は、被検査対象２の位置や側壁からの距離等を正確に検出できるものであればよい。
【００４１】
なお、被検査対象２としては、機械的に駆動する複数の歯車等を備えた駆動部を含む機器、例えば、車載用等のＣＤ、ＭＤ、ＤＶＤなどの再生装置を構成する各種組み立て部品（ピックアップ部など）や組み立て後の完成品などが適用され得る。
【００４２】
また、防音箱１の内部上方には、被検査対象２の作動音を取り込むための集音器としてのマイクロフォン（以下、マイクと記す）１０が配設され、マイク１０は、アンプ１１、Ａ／Ｄ変換器１２、バンドパスフィルタ（ＢＰＦ）１３を介して異音判定処理手段１４に接続されている。なお、バンドパスフィルタ１３は、防音箱１で遮断しきれない外部からの音の成分（この場合、５００Ｈｚ以下の周波数成分）を除去するディジタルフィルタとして説明するが、アナログフィルタであってもよく、かかる場合には、Ａ／Ｄ変換器１２の前段にバンドパスフィルタ１３を挿入すればよい。また、バンドパスフィルタ１３、異音判定処理手段１４の各機能は、マイクロコンピュータのＣＰＵ１５により行われるフィルタリング処理、異音判定処理で実現される。
【００４３】
ＣＰＵ１５には、フィルタリング処理、異音判定処理等で必要なデータが格納されるＲＡＭ１６、防音箱１を構成する各部の駆動制御、フィルタリング処理、異音判定処理等を行うためのプログラムが格納されたＲＯＭ１７、異音判定処理の判定情報等が格納されるハードディスク（ＨＤ）１８が接続されている。また、ＣＰＵ１５には、液晶ディスプレイ等からなる表示部１９、スピーカ２０等の報知手段が接続されており、ＣＰＵ１５では、表示部１９への表示処理や、スピーカ２０への音声出力処理なども行われるようになっている。また、ＣＰＵ１５には、操作部２１、バーコードリーダ２２が接続されており、ＣＰＵ１５では、操作部２１からの各種入力信号（例えば、検査開始信号等）に基づいた処理や、バーコードリーダ２２を通じて被検査対象２に付与されている固有の識別情報（ＱＲコードに含まれるシリアルＮｏ等）を読み取る処理などが行われるようになっている。さらに、ＣＰＵ１５には、他の端末装置との間で有線又は無線によるデータ通信を行うための通信手段２３が接続されており、ＣＰＵ１５では、ハードディスク１８に記憶された判定情報を通信手段２３を介して他の端末装置（パソコン等）へ送信する処理等も行えるようになっている。
【００４４】
次に実施の形態（１）に係る異音検査装置におけるＣＰＵ１５の行う処理動作を図２に示したフロ−チャ−トに基づいて説明する。なお、ここでは、防音箱１の開閉扉３が開いている状態、且つ載置台６が開閉扉３側に移動している状態で、被検査対象２が載置台６に設置された状態にあるものとして説明する。
【００４５】
まず、操作部２１（例えば、検査開始ボタンや扉閉ボタン）からの検査開始信号を検出したか否かを判断し（ステップＳ１）、検査開始信号を検出したと判断すれば、被検査対象２に付与されているシリアルＮｏ（識別情報）が読み込み済か否かを判断し（ステップＳ２）、読み込み済と判断すればステップＳ５に進む。一方、シリアルＮｏが読み込み済ではないと判断すれば、シリアルＮｏの読み込み操作を促す告知（例えば、バーコードリーダ２２でシリアルＮｏを読み込ませて下さいといった内容の表示や音声出力）を行い（ステップＳ３）、シリアルＮｏの読み込みが完了したか否かを判断し（ステップＳ４）、読み込み完了と判断すればステップＳ５に進む。
【００４６】
ステップＳ５では、扉駆動部４に対して開閉扉３を閉じるための閉駆動信号と、エアポンプ７ａ、７ｂに対して載置台６を所定位置（検査位置）に移動させるためのエア供給信号と、被検査対象２に対して検査前慣らし動作（エイジング動作）をさせるためのエイジング信号とを出力し、開閉扉３の閉動作と、被検査対象２のエイジング動作とを同時に実行する制御を行う（ステップＳ６）。
【００４７】
次に、開閉扉３の全閉状態を検出するセンサ（図示せず）からの信号に基づいて、開閉扉３が閉じられたか否かを判断し（ステップＳ７）、閉じられたと判断すれば、位置センサ９から得られる情報に基づいて、マイク１０と被検査対象２とが所定の位置関係となっているか否か（すなわち、位置ＯＫか否か）を判断し（ステップＳ８）、位置ＮＧと判断すれば、位置センサ９から得られる情報に基づいて、マイク１０と被検査対象２とが所定の位置関係となるように載置台６の位置を調整する（すなわち、エアポンプ７ａ、７ｂに対して載置台６を所定の位置関係となる位置に移動させるためのエア供給信号を出力する）制御を行い（ステップＳ９）、ステップＳ８に戻る。
【００４８】
一方、ステップＳ８において、位置ＯＫと判断すればステップＳ１０に進み、被検査対象２を作動させていない状態で、マイク１０を通じて音（空圧機器５の作動音）を取り込み（ステップＳ１０）、取り込んだ音に異音（管路８ａ、８ｂ等からのエア漏れの音）が含まれているか否かを判断し（ステップＳ１１）、エア漏れ音ありと判断すれば、空圧機器５の異常を通知するための警告音をスピーカ２０から出力する処理を行い（ステップＳ１２）、処理を終える。
【００４９】
一方、ステップＳ１１においてエア漏れ音なしと判断すれば、被検査対象２を異音検査のために作動させる駆動信号を出力し（ステップＳ１３）、駆動信号に基づいて作動させた被検査対象２の作動音を、マイク１０、アンプ１１、Ａ／Ｄ変換器１２を介して取り込み（ステップＳ１４）、Ａ／Ｄ変換された時間軸波形のデータをバンドパスフィルタ１３（例えば、５００Ｈｚ以下の音を除去するフィルタ）でフィルタリング処理を行い（ステップＳ１５）、外部音成分が除去された被検査対象２の作動音の時間軸波形のデータを２乗平均する処理、すなわち、各時間に得られたレベル値（＋又は−）を２乗して平方根を取り、すべてを正とする処理を行う（ステップＳ１６）。
【００５０】
なお、図３（ａ）には、フィルタリング処理後の被検査対象２の作動音の時間軸波形の一例を、図３（ｂ）には、２乗平均後の波形の一例を示している。なお、黒塗り部分は、波形が密に重なっている状態を示している。
【００５１】
次に２乗平均後の波形を、レベルが低い方の第１の波形（図３（ｂ）におけるＡ部分の波形）と、該第１の波形から突出している第２の波形（図３（ｂ）におけるＢ部分の波形）とに分け、これら第１及び第２の波形の形態から２乗平均後の波形の特徴を数値化するための以下のパラメータ、すなわち、第１の波形のレベルの平均値Ｈ1、第２の波形のレベルの平均値Ｈ2、及びレベル平均値Ｈ1とレベル平均値Ｈ2との比（Ｈ2／Ｈ1）を算出する（ステップＳ１７）。
【００５２】
次に、Ｈ2／Ｈ1の値が、異音を含むか否かを判定する閾値ＨTH以下であるか否かを判断し（ステップＳ１８）、Ｈ2／Ｈ1の値が、閾値ＨTH以下である（すなわち、第１の波形のレベルに対して第２の波形のレベルが小さい）と判断すれば、被検査対象２の作動音に異音が含まれていないと判定し（ステップＳ１９）、異音が含まれていないことを示す「ＯＫ」マークを表示部１９に表示し（ステップＳ２０）、その後ステップＳ２３に進む。
【００５３】
一方、ステップＳ１８において、Ｈ2／Ｈ1の値が、閾値ＨTHより大きい（すなわち、第１の波形のレベルに対して第２の波形のレベルが大きい）と判断すれば、被検査対象２の作動音に異音が含まれていると判定し（ステップＳ２１）、異音が含まれていることを示す「ＮＧ」マークを表示部１９に表示し（ステップＳ２２）、その後ステップＳ２３に進む。
【００５４】
ステップＳ２３では、被検査対象２のシリアルＮｏを、被検査対象２の作動音データの保存名に設定して（例えば、シリアルＮｏ．ｗａｖというファイル名）、マイク１０を通じて取り込んだ被検査対象２の作動音データとＯＫ又はＮＧの判定情報とをハードディスク（ＨＤ）１８に記憶させる処理を行い、その後処理を終える。
【００５５】
上記実施の形態（１）に係る異音検査装置によれば、防音箱１と、防音箱１で遮断しきれない外部からの音の成分を除去するＢＰＦ１３との組み合わせにより、外部からの音を遮断するように構成されているので、外部からの音を遮断するための防音箱１の防音構造を簡素にすることができ、完全に外部音を遮断するように構成された重厚な防音箱を使用する場合よりも装置にかかるコストを大幅（数分の１程度）に削減することができる。
【００５６】
また、２乗平均後の波形を、レベルが低い方の第１の波形（図３（ｂ）のＡ部分）と、該第１の波形から突出している第２の波形（図３（ｂ）のＢ部分）とに分け、これら第１及び第２の波形の形態から２乗平均後の波形の特徴を数値化するための上記したパラメータが算出されるので、該算出されたパラメータによって２乗平均後の波形の特徴を的確に数値化することができ、該パラメータに基づいて、被検査対象２の作動音に異音が含まれているか否かを精度良く判定することができる。特に、２乗平均後の波形がクシ型の波形の場合、聴感は同じでもレベルが変動し（すなわち、バラツキが大きい）、第２の波形（図３（ｂ）のＢ部分）のレベルが変動した場合、第１の波形のレベル（図３（ｂ）のＡ部分）も変動するので、その比（Ｈ2／Ｈ1）ですることにより、レベルの変動を考慮した適切な異音有無の判定を行うことができる。
【００５７】
また、被検査対象２を作動させていない状態で（すなわち、検査前に）、空圧機器５の作動音の状態を確認し、空圧機器５からエア漏れ音が発生している場合には、空圧機器５の異常が告知されるので、空圧機器５の異常をいち早く知らせることができるとともに、空圧機器５が異音を発している状態で、被検査対象２の異音検査が行われるのを防止することができる。
【００５８】
また、扉駆動部４に対する開閉扉３の閉動作、及び被検査対象２に対する検査前の慣し動作（エイジング動作）が同時に制御されるので、本検査を開始するまでのタクトタイムを短縮することができ、検査効率を高めることができる。
【００５９】
また、位置センサ９から得られる情報に基づいて、マイク１０と被検査対象２とが所定の位置関係となるように載置部６の位置が調整されるので、マイク１０と被検査対象２との位置関係が常に一定の状態で異音検査を行うことができ、異音の検査精度を高めることができる。
【００６０】
また、バーコードリーダ２２から読み取られたシリアルＮｏを、被検査対象２の作動音データの保存名に設定して、被検査対象２の作動音データがハードディスク１８に記憶されるので、被検査対象２のシリアルＮｏが保存名に設定された作動音データをハードディスク１８に蓄積していくことができ、保存名に設定されたシリアルＮｏから所望の作動音データの識別や読出を容易に行うことができる。
【００６１】
また、通信手段２３により、ハードディスク１８に記憶されている被検査対象２の作動音データを他の端末装置へ送信することができ、例えば、遠隔地にある他の端末装置で前記作動音データの解析を行うことが可能なシステムを構築することができる。
【００６２】
また、異音判定処理手段１４により判定処理された被検査対象２の作動音に含まれる異音の有無（ＯＫやＮＧ）に関する情報が告知されるので、被検査対象２の作動音が正常か否かを適切に把握することができる。
【００６３】
なお、上記実施の形態（１）では、第１の波形のレベルの平均値Ｈ1と第２の波形のレベルの平均値Ｈ2との比（Ｈ2／Ｈ1）を算出し（ステップＳ１７）、Ｈ2／Ｈ1の比の値が、閾値ＨTH以下であるか否かを判断して（ステップＳ１８）、異音が含まれるか否かを判断するようになっているが、別の実施の形態では、Ｈ2／Ｈ1の値に加えて、さらに２乗平均後の波形の面積（全面積）を求め、Ｈ2／Ｈ1の値が、閾値ＨTH以下、及び／又は２乗平均後の波形の面積が閾値面積ＳTH以下であるか否かを判断して、異音が含まれるか否かを判断するようにしてもよい。係る構成によれば、２乗平均後の波形の面積、すなわち、作動音の大小をさらに考慮して、被検査対象２の作動音に異音が含まれているか否かを判定することができ、判定精度をさらに高めることができる。さらに、Ｈ2／Ｈ1の比の値ではなく、Ｈ2−Ｈ1の差の値や、第１の波形のレベルの平均値Ｈ1と第２の波形のレベルの平均値Ｈ2との全体の平均値を使用して、又はこれらを組み合わせて、異音が含まれるか否かを判断するようにしてもよい。
【００６４】
また別の実施の形態に係る異音検査装置では、防音箱１の底面に、外部からの振動を吸収するための振動吸収部材をさらに設けた構成としてもよい。例えば、防振ゴム等の部材を底面の複数カ所又は全面に設けることにより、外部（床面等）から防音箱１に伝わる振動を遮断することができ、振動によるノイズの混入を防止することができる。
【００６５】
さらに別の実施の形態に係る異音検査装置では、防音箱１内に、マイク１０の位置を調整するためのマイク位置調整機構を設ける構成としてもよい。例えば、マイク位置調整機構として、防音箱１内の４隅近傍位置に支柱を設け、これら各支柱に、摺動可能な固定具を装着し、隣り合う固定具を棒部材で連結して、前記支柱に沿って上下に摺動可能な枠部を形成し、該枠部を構成する一組の対向する棒部材にそれぞれ摺動可能な固定具を装着し、これら固定具を連結棒で連結して、前記一組の対向する棒部材に沿って前後に摺動可能な構成とし、さらに前記連結棒に摺動可能な固定具を装着し、この固定具にマイク１０を装着する構成とすることにより、マイク１０の位置を自在に調整することができる。
【００６６】
なお、防音箱１内に、マイク１０の位置を調整するための上記マイク位置調整機構を設けた場合等、マイク位置とマイク１０のゲイン調整とを同時に校正するために、例えば、基準音発生装置が内設された筒形状をしたマイク位置校正用具を載置台６上に設置し、マイク１０を前記マイク位置校正用具の上面に位置決めして、前記基準音発生装置から所定周波数及び所定レベル（ｄＢ）の基準音を発し、マイク１０から取り込んだ基準音のレベルが、同じ所定レベルとなるようにアンプ１１のゲイン調整が行える構成とすることができる。かかる構成によれば、防音箱１内に設置されるマイク位置校正用具と基準音発生装置とを用いて、実際の異音検査の状態に近い状態で適切なマイク１０のゲイン調整と位置合わせとを同時に行うことができる。
【００６７】
次に実施の形態（２）に係る異音検査装置について説明する。但し実施の形態（２）に係る異音検査装置の構成については、異音判定処理手段と、ＣＰＵと、ＲＯＭとを除いて図１に示した異音検査装置の構成と略同様であるため、異なる機能を有する異音判定処理手段１４ａと、ＣＰＵ１５ａと、ＲＯＭ１７ａとには異なる符号を付し、その他の同一機能を有する構成部品には同一符号を付し、その説明を省略する。
【００６８】
被検査対象２の作動音に異音が含まれている場合、異音の発生部位（すなわち、異音が発生している部品）によって、音が異なるため、２乗平均後の波形の形態も異なってくる。実施の形態（２）に係る異音検査装置では、異音の発生部位別に分類した波形パターン情報と該波形パターン別に設定された異音判定の閾値情報とが予めＲＯＭ１７ａに格納されている。その一例を図４に示している。波形パターンに関する情報には、異音の発生部位別に、２乗平均後の波形の形態が数値化されたパラメータの値（範囲）が設定されており、この場合、２乗平均後の波形における、第１の波形のレベルの平均値Ｈ1、第２の波形のレベルの平均値Ｈ2、及び第１の波形と第２の波形のレベルの平均値との比（Ｈ2／Ｈ1）の値（範囲）が異音の発生部位別に設定されている。そして、実際に求められたパラメータの値と、ＲＯＭ１７ａに記憶されているパラメータの値とを照合して、対応する波形パターンを判定するようになっている。
【００６９】
なお、別の実施の形態では、波形の形態を示すパラメータの値を記憶しておくのではなく、異音の発生部位別の波形そのもののデータを記憶して、この波形データを照合して、波形パターンを判定する構成としてもよい。
【００７０】
次に実施の形態（２）に係る異音検査装置におけるＣＰＵ１５ａの行う処理動作を図５に示したフロ−チャ−トに基づいて説明する。なお、本処理動作は、図２−１、図２−２に示したステップＳ１７以降の処理が異なっているので、ステップＳ１６までの処理動作については説明を省略し、以下相違する処理動作のみ説明することとする。
【００７１】
ステップＳ１６において、２乗平均後の波形を、レベルが低い方の第１の波形（図３（ｂ）におけるＡ部分に相当する波形）と、該第１の波形から突出している第２の波形（図３（ｂ）におけるＢ部分に相当する波形）とに分け、これら第１及び第２の波形の形態から２乗平均後の波形の特徴を数値化するための以下のパラメータ、すなわち、第１の波形のレベルの平均値Ｈ1、第２の波形のレベルの平均値Ｈ2、第１の波形のレベルの平均値Ｈ1と第２の波形のレベルの平均値Ｈ2との比（Ｈ2／Ｈ1）を算出した後、ステップＳ３１に進む。
【００７２】
ステップＳ３１では、算出された上記各パラメータの値に基づいて、２乗平均後の波形に対応する波形パターンを判定する、すなわち、図４に示したＲＯＭ１７ａに格納されている波形パターンに関する情報（パラメータの範囲）と、算出されたパラメータの値とを比較して、該当する波形パターン（ＮＧ１〜ＮＧｎのいずれに該当するかを判定）を判定し、次に、該当する波形パターンがあったか否かを判断し（ステップＳ３２）、該当する波形パターンがなかった（すなわち、ＮＧに該当しない）と判断すれば、ステップＳ３４に進む。
【００７３】
一方、該当する波形パターンがあったと判断すれば、判定された波形パターンに設定されている異音判定のためのレベル閾値ＨTHと、２乗平均後の波形とを比較して、レベル閾値ＨTHを越えている波形の面積Ｓ1が、異音を含んでいること示す閾値面積ＳTH以上であるか否かを判断し（ステップＳ３３）、レベル閾値ＨTHを越えている波形の面積Ｓ1が、閾値面積ＳTH未満であると判断すれば、作動音に異音が含まれていないと判定し（ステップＳ３４）、異音が含まれていないことを示す「ＯＫ」マークを表示部１９に表示し（ステップＳ３５）、その後ステップＳ３８に進む。
【００７４】
一方、ステップＳ３３において、レベル閾値ＨTHを越えている波形の面積Ｓ1が、閾値面積ＳTH以上であると判断すれば、作動音に異音が含まれていると判定し（ステップＳ３６）、異音が含まれていることを示す「ＮＧ」マークを表示部１９に表示し（ステップＳ３７）、その後ステップＳ３８に進む。
【００７５】
ステップＳ３８では、被検査対象２のシリアルＮｏを、被検査対象２の作動音データの保存名に設定して（例えば、シリアルＮｏ．ｗａｖというファイル名）、マイク１０を通じて取り込んだ被検査対象２の作動音データと、ＯＫ又はＮＧの判定情報、及びＮＧの場合の波形パターンの情報とをハードディスク（ＨＤ）１８に記憶させる処理を行う。
【００７６】
次に、検査結果を表示させる操作が検出されたか否かを判断し（ステップＳ３９）、検査結果表示操作が検出されていないと判断すれば処理を終える一方、検査結果表示操作が検出されたと判断すれば、ハードディスク（ＨＤ）１８に記憶されている情報を読み出し、図６に示したような波形パターン（ＮＧ）別の異音検出傾向が分かる表を作成して表示部１９に表示する処理を行い（ステップＳ４０）、その後処理を終える。なお、別の実施の形態では、ステップＳ４０の後、異音検出傾向データを印刷装置（図示せず）で印刷させたり、異音検出傾向データを通信手段２３を介して他の端末装置（異音検出装置を管理しているコンピュータ）へ送信するようにしてもよい。
【００７７】
上記実施の形態（２）に係る異音検査装置によれば、２乗平均後の波形の特徴が数値化された上記パラメータの値に基づいて、２乗平均後の波形に対応するＮＧの波形パターンが判定され、該判定された波形パターンに設定された異音判定のためのレベル閾値ＨTHと、当該２乗平均後の波形の形態とを比較して、レベル閾値ＨTHを越えた波形面積Ｓ1が閾値面積ＳTH以上となっているか否かにより、被検査対象の作動音に含まれている異音の有無を判定することができ、また異音が有る場合には、判定されたＮＧの波形パタ−ンにより異音の発生部位を判定することができる。
【００７８】
また、異音判定処理手段１４ａにより判定処理された、被検査対象２の作動音に含まれる異音の有無、及び異音が有る場合の該異音の発生部位（ＮＧの波形パターン）の情報がハードディスク１８に蓄積され、必要に応じて、ハードディスク１８に記憶された情報を異音の発生部位毎に分類して、異音検出傾向表として表示部１９に表示させることができ、異音の発生頻度や該異音の発生部位の傾向等を把握させることができる。
【００７９】
次に実施の形態（３）に係る異音検査装置について説明する。但し実施の形態（３）に係る異音検査装置の構成については、異音判定処理手段と、ＣＰＵと、ＲＯＭとを除いて図１に示した異音検査装置の構成と略同様であるため、異なる機能を有する異音判定処理手段１４ｂと、ＣＰＵ１５ｂと、ＲＯＭ１７ｂとには異なる符号を付し、その他の同一機能を有する構成部品には同一符号を付し、その説明を省略する。
【００８０】
被検査対象２の作動音に異音が含まれている場合、異音の発生部位（異音が発生している部品）によって音が異なるため、２乗平均後の波形の形態も異なってくる。実施の形態（３）に係る異音検査装置では、異音の発生部位別に分類した波形パターン情報と該波形パターン別に設定されたフィルタ条件に関する情報とが予めＲＯＭ１７ｂに格納されている。その一例を図７に示している。波形パターン情報には、異音の発生部位別に、２乗平均後の波形の形態が数値化されたパラメータの値（範囲）が設定されており、この場合、２乗平均後の波形における、第１の波形のレベルの平均値Ｈ1、第２の波形のレベルの平均値Ｈ2、及び第１の波形と第２の波形のレベルの平均値との比（Ｈ2／Ｈ1）の値（範囲）が異音の発生部位別に設定されている。また、フィルタ条件に関する情報には、２乗平均後の波形からさらに異音の特徴を抽出することができるように各波形パターンに応じたフィルタ条件（フィルタリングする周波数情報等）が含まれている。そして、実際に求められたパラメータの値と、ＲＯＭ１７ｂに記憶されているパラメータの値とを照合して、対応する波形パターンを判定するようになっている。
【００８１】
なお、別の実施の形態では、波形の形態を示すパラメータの値を記憶しておくのではなく、異音の発生部位別の波形そのもののデータを記憶して、この波形データを照合して、波形パターンを判定する構成としてもよい。
【００８２】
次に実施の形態（３）に係る異音検査装置におけるＣＰＵ１５ｂの行う処理動作を図８に示したフロ−チャ−トに基づいて説明する。なお、本処理動作は、図２−１、図２−２に示したステップＳ１７以降の処理が異なっているので、ステップＳ１６までの処理動作については説明を省略し、以下相違する処理動作のみ説明することとする。
【００８３】
ステップＳ１６において、２乗平均後の波形を、レベルが低い方の第１の波形（図３（ｂ）におけるＡ部分に相当する波形）と、該第１の波形から突出している第２の波形（図３（ｂ）におけるＢ部分に相当する波形）とに分け、これら第１及び第２の波形の形態から２乗平均後の波形の特徴を数値化するための以下のパラメータ、すなわち、第１の波形のレベルの平均値Ｈ1、第２の波形のレベルの平均値Ｈ2、第１の波形のレベルの平均値Ｈ1と第２の波形のレベルの平均値Ｈ2との比（Ｈ2／Ｈ1）を算出した後、ステップＳ５１へ進む。
【００８４】
ステップＳ５１では、算出された上記各パラメータの値に基づいて、２乗平均後の波形に対応する波形パターンを判定する、すなわち、図７に示したＲＯＭ１７ｂに格納されている波形パターン情報（パラメータの範囲）と、算出されたパラメータの値とを比較して、該当する波形パターンを判定（ＮＧ１〜ＮＧｎのいずれに該当するかを判定）し、次に、該当する波形パターンがあったか否かを判断し（ステップＳ５２）、該当する波形パターンがなかった（すなわち、ＮＧに該当しない）と判断すれば、ステップＳ５６に進む。
【００８５】
一方、該当する波形パタ−ンがあったと判断すれば、判定された波形パターンに設定されているフィルタ条件に基づいて、２乗平均後の波形をフィルタリング処理する（ステップＳ５３）。
【００８６】
なお、図９（ａ）には、フィルタリング処理後の被検査対象２の作動音の時間軸波形の一例を、図９（ｂ）には、２乗平均後の波形の一例を、図９（ｃ）には、２乗平均後の波形をさらにフィルタ処理した波形の一例を示しており、フィルタ処理後の波形では、２乗平均後の波形と比べて、レベルが低い方の波形（Ａ’部分に相当する波形）と、突出している波形（Ｂ’部分に相当する波形）との形態の差（すなわち、異音の特徴）をより明確に表すことが可能となっている。
【００８７】
次にフィルタ処理後の波形を、レベルが低い方の第３の波形（図９（ｃ）におけるＡ’部分の波形）と、該第３の波形から突出している第４の波形（図９（ｃ）におけるＢ’部分の波形）とに分け、これら第３及び第４の波形の形態からフィルタ処理後の波形の特徴を数値化するための以下のパラメータ、すなわち、第３の波形のレベルの平均値Ｈ3、第４の波形のレベルの平均値Ｈ4、第３の波形のレベルの平均値Ｈ3と第４の波形のレベルの平均値Ｈ4との比（Ｈ4／Ｈ3）を算出する（ステップＳ５４）。
【００８８】
次に、Ｈ4／Ｈ3の値が、異音を含むか否かを判定する閾値Ｈ’TH以下であるか否かを判断し（ステップＳ５５）、Ｈ4／Ｈ3の値が、閾値Ｈ’TH以下である（すなわち、第３の波形のレベルに対して第４の波形のレベルが小さい）と判断すれば、被検査対象２の作動音に異音が含まれていないと判定し（ステップＳ５６）、異音が含まれていないことを示す「ＯＫ」マークを表示部１９に表示し（ステップＳ５７）、その後ステップＳ６０に進む。
【００８９】
一方、ステップＳ５５において、Ｈ4／Ｈ3の値が、閾値Ｈ’THより大きい（すなわち、第３の波形のレベルに対して第４の波形のレベルが大きい）と判断すれば、被検査対象２の作動音に異音が含まれていると判定し（ステップＳ５８）、異音が含まれていることを示す「ＮＧ」マークを表示部１９に表示し（ステップＳ５９）、その後ステップＳ６０に進む。
【００９０】
ステップＳ６０では、被検査対象２のシリアルＮｏを、被検査対象２の作動音データの保存名に設定して（例えば、シリアルＮｏ．ｗａｖというファイル名）、マイク１０を通じて取り込んだ被検査対象２の作動音データと、ＯＫ又はＮＧの判定情報、及びＮＧの場合の波形パターンの情報とをハードディスク（ＨＤ）１８に記憶させる処理を行う。
【００９１】
次に、検査結果を表示させる操作が検出されたか否かを判断し（ステップＳ６１）、検査結果表示操作が検出されていないと判断すれば処理を終える一方、検査結果表示操作が検出されたと判断すれば、ハードディスク（ＨＤ）１８に記憶された情報を読み出し、図６に示したような波形パターン（ＮＧ）別の異音検出傾向が分かる表を作成して表示部１９に表示する処理を行い（ステップＳ６２）、その後処理を終える。なお、別の実施の形態では、ステップＳ６２の処理後、異音検出傾向データを印刷装置（図示せず）で印刷させたり、異音検出傾向データを通信手段２３を介して他の端末装置（異音検出装置を管理しているコンピュータ）へ送信するようにしてもよい。
【００９２】
上記実施の形態（３）に係る異音検査装置によれば、算出されたパラメータの値に基づいて、当該２乗平均後の波形に対応する波形パターンが判定され、２乗平均後の波形に対して、判定された波形パターンに応じたフィルタ処理が行われるので、異音の特徴をさらに抽出することができる。そして前記フィルタ処理後の波形を、レベルが低い方の第３の波形と、該第３の波形から突出している第４の波形とに分け、これら第３及び第４の波形の形態から前記フィルタ処理後の波形の特徴を数値化するための所定のパラメータが算出されるので、該算出された所定のパラメータによって前記フィルタ処理後の波形の特徴を的確に数値化することができ、該パラメータに基づいて、前記被検査対象の作動音に異音が含まれているか否かを精度良く判定することができる。また、前記異音が有る場合には、判定されたＮＧの波形パタ−ンにより異音の発生部位を判定することができる。
【００９３】
また、異音判定処理手段１４ｂにより判定処理された、被検査対象２の作動音に含まれる異音の有無、及び異音が有る場合の該異音の発生部位（ＮＧの波形パターン）の情報がハードディスク１８に蓄積され、必要に応じて、ハードディスク１８に記憶された情報を異音の発生部位毎に分類して、異音検出傾向表として表示部１９に表示させることができ、異音の発生頻度や該異音の発生部位の傾向等を把握させることができる。
【００９４】
なお、上記実施の形態（３）に係る異音検査装置では、フィルタ処理後の波形を、レベルが低い方の第３の波形と、該第３の波形から突出している第４の波形とに分け、これら第３及び第４の波形の形態から前記フィルタ処理後の波形の特徴を数値化するための所定のパラメータを算出し、該算出された前記所定のパラメータの値に基づいて、前記被検査対象の作動音に含まれる異音の有無を判定する処理を行うようになっているが、別の実施の形態では、前記判定された波形パターンに設定された異音判定のためのレベル閾値と、前記フィルタ処理後の波形の形態とを比較して、所定の条件を満たすか否か（例えば、前記レベル閾値を越えた波形面積が閾値面積ＳTH以上となっているか否か）により、被検査対象２の作動音に含まれている異音の有無を判定するようにしてもよい。
【００９５】
また、上記実施の形態（１）〜（３）に係る異音検査装置では、防音箱１の開閉扉３が、スイッチ操作に基づいて自動的に開閉されるようになっているが、開閉扉３を手動で開閉させるようにしてもよい。また空圧機器５や位置センサ９を設けない構成、すなわち、載置台６を固定、もしくは手動で載置台６を移動させる構成としてもよい。
【図面の簡単な説明】
【００９６】
【図１】本発明の実施の形態（１）に係る異音検査装置の要部を概略的に示したブロック図である。
【図２−１】実施の形態（１）に係る異音検査装置におけるＣＰＵの行う処理動作を示したフローチャートである。
【図２−２】実施の形態（１）に係る異音検査装置におけるＣＰＵの行う処理動作を示したフローチャートである。
【図３】（ａ）は、フィルタリング処理後の被検査対象の作動音の時間軸波形の一例、（ｂ）は、２乗平均後の波形の一例である。
【図４】実施の形態（２）に係る異音検査装置におけるＲＯＭに格納されている、異音の発生部位別に分類した波形パターン情報と該波形パターン別に設定された異音判定の閾値情報との一例である。
【図５】実施の形態（２）に係る異音検査装置におけるＣＰＵの行う処理動作を示したフローチャートである。
【図６】表示部に表示される波形パターン（ＮＧ）別の異音検出傾向表の一例である。
【図７】実施の形態（３）に係る異音検査装置におけるＲＯＭに格納されている、異音の発生部位別に分類した波形パターン情報と該波形パターン別に設定されたフィルタ条件に関する情報との一例である。
【図８】実施の形態（３）に係る異音検査装置におけるＣＰＵの行う処理動作を示したフローチャートである。
【図９】（ａ）は、被検査対象の作動音の時間軸波形の一例、（ｂ）は、２乗平均後の波形の一例、（ｃ）は、２乗平均後の波形をフィルタ処理した波形の一例である。
【符号の説明】
【００９７】
１  防音箱
２  被検査対象
１０  マイク
１３  バンドパスフィルタ（ＢＰＦ）
１４、１４ａ、１４ｂ  異音判定処理手段
１５、１５ａ、１５ｂ  ＣＰＵ
１６  ＲＡＭ
１７、１７ａ、１７ｂ  ＲＯＭ
１８  ハードディスク（ＨＤ）
【図１】
2007114052.tif 000003
【図２−１】
2007114052.tif 000004
【図２−２】
2007114052.tif 000005
【図３】
2007114052.tif 000006
【図４】
2007114052.tif 000007
【図５】
2007114052.tif 000008
【図６】
2007114052.tif 000009
【図７】
2007114052.tif 000010
【図８】
2007114052.tif 000011
【図９】
2007114052.tif 000012